(57)【要約】【課題】  構造が簡素で、組付け性が良好でありながら、吸出口に充分な開口面積を確保できかつ開閉および開度調節を容易に行えるインストルメントパネルの収納部内空調吹出し構造を提供する。【解決手段】  収納部内空調吹出口の開閉手段が固定ディスク（２１）と可動ディスク（３１）とから構成され、可動ディスクの回動角位置に応じた固定側透孔（２０）と可動側透孔（３０）との重合度によって吹出口（２０）を開閉または開度調節可能であり、可動ディスクはその中心部に突設された軸部（３２）が固定ディスクの中心部に設けた軸受孔（４２）に嵌合することにより回動可能に支持され、固定側透孔の外周部に周方向に延びる案内溝（２３）に可動ディスクの突起（３３）が係合することにより、可動ディスクの回動が案内溝（２３）の範囲に規制され、可動ディスクの突起（３３）の先端に係止爪（３３ａ）が設けられ、該係止爪が固定ディスクの案内溝（２３）に係止されている。【選択図】  図６
2009067115.tif 000002
【特許請求の範囲】
【請求項１】
インストルメントパネルの収納部内壁面に空調用空気の吹出口が設けられ、前記吹出口を通じて前記収納部内に空調用空気を吹出し可能であるとともに、前記吹出口を開閉する手段を備え、前記吹出口開閉手段が、前記吹出口を覆うように配設され中心部を除く領域に固定側透孔を有する固定ディスクと、前記固定ディスクの吹出側に接した状態で前記固定ディスクと軸心を一にして回動可能でありかつ前記固定側透孔に対応した可動側透孔を有する可動ディスクとから構成され、前記可動ディスクの回動角位置に応じた前記固定側透孔と前記可動側透孔との重合度によって前記吹出口の開度を切換または調節可能であるインストルメントパネルの収納部内空調吹出し構造において、
前記可動ディスクの中心部に突設された軸部が、前記固定ディスクの中心部に設けた軸受孔に嵌合することにより、前記可動ディスクが前記固定ディスクに回動可能に支持され、前記固定ディスクの前記固定側透孔の外周部に周方向に延びる案内溝が形成され、前記可動ディスクには前記案内溝に係合する突起が形成されることにより、前記可動ディスクの回動範囲が前記案内溝の範囲に規制されており、
さらに、前記可動ディスクの前記軸部または前記突起の先端に係止爪が設けられ、該係止爪が、前記固定ディスクの前記軸受孔または前記案内溝に係止されることにより、前記可動ディスクが前記固定ディスクに回動可能に取付けられていることを特徴とするインストルメントパネルの収納部内空調吹出し構造。
【請求項２】
前記固定ディスクの前記案内溝に、前記可動ディスクの前記突起に当接して回動範囲の両端で節度感を与える突部が形成されていることを特徴とする請求項１に記載のインストルメントパネルの収納部内空調吹出し構造。
【請求項３】
前記固定ディスクの前記突部が形成された縁部に沿ってスリットが穿設され、前記突部が前記スリット側に弾性変位可能であることを特徴とする請求項２に記載のインストルメントパネルの収納部内空調吹出し構造。
【請求項４】
前記固定側透孔および前記可動側透孔が、前記固定ディスクおよび前記可動ディスクの周方向に等ピッチで複数設けられ、そのうち少なくとも１つの固定側透孔に前記案内溝が形成されており、前記係止爪が、前記軸部のみに設けられていることを特徴とする請求項１〜３のいずれか１項に記載のインストルメントパネルの収納部内空調吹出し構造。
【請求項５】
前記固定側透孔および前記可動側透孔が、前記固定ディスクおよび前記可動ディスクの周方向に等ピッチで複数設けられ、前記各固定側透孔それぞれに前記案内溝が形成されており、前記係止爪が、前記各案内溝に係合する前記各突起にのみ設けられていることを特徴とする請求項１〜３のいずれか１項に記載のインストルメントパネルの収納部内空調吹出し構造。
【請求項６】
前記固定ディスクが、収納部内壁面に一体に形成されていることを特徴とする請求項１〜５のいずれか１項に記載のインストルメントパネルの収納部内空調吹出し構造。
【発明の詳細な説明】
【技術分野】
【０００１】
本発明は、インストルメントパネルの収納部内壁面に空調用空気の吹出口が設けられ、前記吹出口を通じて前記収納部内に空調用空気を送給し、収納物品を保冷または保温可能とした収納部構造に関し、さらに詳しくは、前記吹出口の開閉／開度調節機構に係わるものである。
【背景技術】
【０００２】
車両室内のインストルメントパネルの助手席側にはグローブボックス等の物品収納部が設けられている。この収納部の内壁面に吹出口を設け、該吹出口に車内空調設備から分岐させたダクトを連結することにより、前記吹出口を通じて前記収納部内に空調用空気を送給し、飲料水などの収納物品を保冷または保温可能とした収納部構造が公知である（特許文献１〜４参照）。
【０００３】
上記収納部構造において、収納部を物品の保冷や保温に利用しない場合には、前記吹出口を閉鎖しておくことが有利であり、さらに、内部温度調整のため、冷風または温風の吹出量を調節できるようにすることが有利である。そこで、上記収納部の吹出口には、手動あるいはリッドの開閉と連動した開閉手段が付設されているが、吹出口の開口面積を調整可能な構造とした場合に、可動弁体の機構部品や取付け構造などにより吹出口の実質的な開口面積が減少したり、組付け工数や部品点数が増加したりする問題があった。
【０００４】
【特許文献１】実開昭６２−４６２０８号公報
【特許文献２】実公平５−４０７号公報
【特許文献３】実公昭６２−７９８６号公報
【特許文献４】特開平７−１１２６５１号公報
【発明の開示】
【発明が解決しようとする課題】
【０００５】
本発明はこのような実状に鑑みてなされたものであって、その目的は、構造が簡素で、組付け性が良好でありながら、吸出口に充分な開口面積を確保できかつ開閉および開度調節を容易に行えるインストルメントパネルの収納部内空調吹出し構造を提供することにある。
【課題を解決するための手段】
【０００６】
上記従来技術の有する課題を解決するため、本発明は、
インストルメントパネルの収納部内壁面に空調用空気の吹出口が設けられ、前記吹出口を通じて前記収納部内に空調用空気を吹出し可能であるとともに、前記吹出口を開閉する手段を備え、前記吹出口開閉手段が、前記吹出口を覆うように配設され中心部を除く領域に固定側透孔を有する固定ディスクと、前記固定ディスクの吹出側に接した状態で前記固定ディスクと軸心を一にして回動可能でありかつ前記固定側透孔に対応した可動側透孔を有する可動ディスクとから構成され、前記可動ディスクの回動角位置に応じた前記固定側透孔と前記可動側透孔との重合度によって前記吹出口の開度を切換または調節可能であるインストルメントパネルの収納部内空調吹出し構造において、
前記可動ディスクの中心部に突設された軸部が、前記固定ディスクの中心部に設けた軸受孔に嵌合することにより、前記可動ディスクが前記固定ディスクに回動可能に支持され、前記固定ディスクの前記固定側透孔の外周部に周方向に延びる案内溝が形成され、前記可動ディスクには前記案内溝に係合する突起が形成されることにより、前記可動ディスクの回動範囲が前記案内溝の範囲に規制されており、さらに、前記可動ディスクの前記軸部または前記突起の先端に係止爪が設けられ、該係止爪が、前記固定ディスクの前記軸受孔または前記案内溝に係止されることにより、前記可動ディスクが前記固定ディスクに回動可能に取付けられていることを特徴とする。
【発明の効果】
【０００７】
本発明に係わるインストルメントパネルの収納部内空調吹出し構造は、上述の通り構成されているので、部品点数が少なく構造が簡素であり、可動ディスクを収納部側から固定ディスクに嵌合し係止爪を係止するだけで組付けが行え、組付け性が良好であるとともに、固定側透孔の外周部を、回動範囲を規制する部材（案内溝、突起）の設置スペースに利用し、かつ、可動ディスクの回動用軸部または回動規制用突起を可動ディスクの係止部材に利用することで、それらの設置スペースを別途設ける必要が無く、その分、吸出口となる固定側透孔および可動側透孔に充分な開口面積を確保できる。
【０００８】
本発明において、前記固定ディスクの前記案内溝に、前記可動ディスクの前記突起に当接して回動範囲の両端で節度感を与える突部が形成されている態様では、回動範囲を規制する部材（案内溝）と、回動範囲に節度感を与える部材（突部）とが一体化され、それらを別途設ける場合に比べて設置スペースが削減され、構造が簡素化される。
【０００９】
本発明において、前記固定ディスクの前記突部が形成された縁部に沿ってスリットが穿設され、前記突部が前記スリット側に弾性変位可能である態様では、別途スプリング等を付設することなく突部を弾性変位可能に構成でき、構造が簡素で製造コスト増とならずに良好な節度感が得られ、可動ディスクの開閉および開度調節操作を容易かつ確実に行うことができる。
【００１０】
本発明において、前記固定側透孔および前記可動側透孔が、前記固定ディスクおよび前記可動ディスクの周方向に等ピッチで複数設けられ、そのうち少なくとも１つの固定側透孔に前記案内溝が形成されており、前記係止爪が、前記軸部のみに設けられている態様では、可動ディスクの係止部が軸部の一箇所のみとなり、組付けを容易に行えるとともに、可動ディスクの回動に伴う摺接箇所が少なく、スムーズな開閉および開度調節操作が可能となる。
【００１１】
また、本発明において、前記固定側透孔および前記可動側透孔が、前記固定ディスクおよび前記可動ディスクの周方向に等ピッチで複数設けられ、前記各固定側透孔それぞれに前記案内溝が形成されており、前記係止爪が、前記各案内溝に係合する前記各突起にのみ設けられている態様では、各透孔における閉時のシール性が良好であるとともに、軸部の構造が簡略化され、軸部を小型化・小径化でき、その分、吸出口となる固定側透孔および可動側透孔に充分な開口面積を確保できる。
【００１２】
さらに、前記固定ディスクが、収納部内壁面に一体に形成されていれば、一層部品点数が少なく構造が簡素であり、固定ディスクの組付けが不要となり有利である。
【発明を実施するための最良の形態】
【００１３】
以下、本発明の実施の形態について、図面を参照しながら詳細に説明する。
図１は、本発明に係わる空調吹出し構造が適用される収納部（アッパーボックス１）を備えた自動車のインストルメントパネル２を室内側から見た斜視図である。図において、アッパーボックス１は、インストルメントパネル２の助手席の前方に配設され、アッパーボックス１の下方にはロアーボックス３が配設されている。また、インストルメントパネル２のセンター部には、カーナビゲーションシステムやオーディオなどの車載機器４とともに空調ユニットの操作部５および空調吹出しルーバー６、６が配設されている。インストルメントパネル２の両側部にも空調吹出しルーバー７が配設されており、その上側に隣接してデフロスタ吹出口８が配設されている。
【００１４】
アッパーボックス１は、図２に示すように、インストルメントパネル２に物品を出し入れするための開口部１０を形成し、その前面に開閉可能なリッド１１を備える一方、前記開口部１０の裏面側に、別部材からなるボックス本体１２を取り付け、収納空間を画成している。リッド１１は、その下面に２つの腕部１３、１３を有し、各腕部１３、１３の端部が、ボックス本体１２の車両前方側の背後に配設された図示しないヒンジ機構で回動自在に軸支され、かつ、図示しないスプリングで閉鎖方向に付勢されている。また、リッド１１の下面の周縁部に沿ってシール部材１４が配設されている。
【００１５】
上記アッパーボックス１の内壁面には、ボックス内に空調用空気を送給する吹出口（２０）が配設されるとともに、該吹出口（２０）を開閉する手段として、図３に示すように、固定ディスク２１および可動ディスク３１が設けられている。以下、本発明第１実施形態の吹出口開閉手段を構成する固定ディスク２１および可動ディスク３１について、図４〜図７を参照しながら詳細に説明する。
【００１６】
固定ディスク２１は、ボックス本体１２の側壁部の円形の吹出領域を覆うように、該側壁部に一体に形成され、図５に示すように、中央に軸受孔２２が穿設され、その周囲に、周方向に等ピッチで３箇所の固定側透孔２０が穿設されている。各固定側透孔２０は、それぞれ扇形を基本形状とし、外周部に周方向に延びる案内溝２３（スリット）が形成されている。さらに、外周の一部に沿って有底の第２案内溝２４が形成され、その両端部に近接した溝内に突部２４ａ、２４ｂが設けられている。これら突部２４ａ、２４ｂは、周方向に約６０度の間隔を有して配設されている。
【００１７】
可動ディスク３１は、図４に示すように、側面中央に軸部３２が突設され、その周囲に、周方向に等ピッチで３箇所の可動側透孔３０が穿設されている。各可動側透孔３０は、それぞれ前記各固定側透孔２０に対応した扇形をなし、各可動側透孔３０の間の側面外周部には、前記各案内溝２３に係合する３つの突起３３が形成され、該各突起３３の先端部の外周側に係止爪３３ａが形成されている。さらに、可動ディスク３１の側面最外周部には、周方向に等ピッチで３箇所の小突起３４、３５、３５が設けられている。また、可動ディスク３１の外周面には、滑り止めパターンが設けられ、その一部に、閉位置指標３６および開位置指標３７が形成されている。
【００１８】
上記のように構成された可動ディスク３１は、図３に示すように、アッパーボックス１の内側から、ボックス本体１２の側壁部と一体の固定ディスク２１に以下のように装着される。すなわち、可動ディスク３１の中央の軸部３２を、固定ディスク２１の軸受孔２２に挿入するとともに、３つの突起３３を、固定ディスク２１の案内溝２３に挿通した状態で、各突起３３の先端部の係止爪３３ａを、前記各案内溝２３の縁部に係止することにより、図６および図７に示すように、固定ディスク２１の吹出側に回動可能に取付けられる。
【００１９】
このような取付け状態において、可動ディスク３１は、各案内溝２３に各突起３３が係合することによって、回動範囲が案内溝２３の範囲に規制され、図６に示すように、各突起３３が、各案内溝２３の端部に位置した回動端では、各可動側透孔３０が各固定側透孔２０と一致して吹出口（２０）が全開となり、ボックス内に空調用空気を吹出可能となる一方、図７に示すように、各突起３３が、各案内溝２３と反対側に位置した回動端では、各可動側透孔３０が固定ディスク２１で閉鎖され、空調用空気の吹出しが停止されることになる。
【００２０】
また、可動ディスク３１の小突起３４、３５、３５が、固定ディスク２１の表面に当接することによって、可動ディスク３１と固定ディスク２１との全面的な摺接が回避され、円滑な開閉操作が可能となるとともに、可動ディスク３１の小さい方の１つの小突起３４は、固定ディスク２１の第２案内溝２４に係合して、可動ディスク３１の回動とともに第２案内溝２４内を移動し、それぞれの回動端では、小突起３４が突部２４ａ、２４ｂを乗り越えることによって、可動ディスク３１の回動操作に節度感が得られるとともに、可動ディスク３１が開位置または閉位置に係止され、走行時の振動などによる移動を防止できる。
【００２１】
上記実施形態においては、固定ディスク２１の案内溝２３と固定側透孔２０が一連に形成されているため、それらを独立して設ける場合に比べて、設置スペースを削減できるとともに回動範囲を広く設定でき、しかも、図６に示す開位置では、可動ディスク３１の各突起３３が固定側透孔２０側から案内溝２３内に退避するので、通風の妨げとなることもない。また、図７に示す閉位置では、各案内溝２３が固定ディスク２１によって閉鎖されるので、固定側透孔２０と一連に形成されていても空気の漏出を防止できる。加えて、可動ディスク３１の各突起３３が、固定ディスク２１への取付け手段と回動範囲の規制手段とを兼ねており、それぞれのための専用の形状が不要となるので、可動ディスク３１の簡素化および小型化が可能となる。
【００２２】
次に、本発明第２実施形態の吹出口開閉手段を構成する固定ディスク４１および可動ディスク５１について、図８〜図１０を参照しながら詳細に説明する。
【００２３】
第２実施形態の固定ディスク４１は、図９に示すように、中央に軸受孔４２が穿設され、その周囲に、周方向に等ピッチで４箇所の固定側透孔４０が穿設されており、前記第１実施形態と同様に、各固定側透孔４０は、それぞれ扇形を基本形状としているが、本実施形態では、１つの固定側透孔４０の外周部に周方向両側に延びる案内溝４３、４３が形成されている。また、各側の案内溝４３、４３の外周側縁部に突部４３ａ、４３ｂが形成され、さらに、それらの外周側に沿ってスリット４４、４４が穿設され、各突部４３ａ、４３ｂがスリット４４、４４側に弾性変形可能となっている。
【００２４】
可動ディスク５１は、図８に示すように、側面中央に軸部５２が突設されている。軸部５２は、その軸心部を横断する溝５２ｂによって半割に形成され、各側先端部の外周側に係止爪５２ａが形成されている。さらに、軸部５２の周囲に、周方向に等ピッチで４箇所の可動側透孔５０が穿設されている。各可動側透孔５０は、それぞれ前記各固定側透孔４０に対応した扇形をなし、そのうち１つの可動側透孔５０の外周側隅部に近接して、前記案内溝４３に係合する１つの突起５３が形成されている。また、第１実施形態と同様に、可動ディスク５１の側面最外周部には、周方向に等ピッチで３箇所の小突起５５が設けられ、可動ディスク５１の外周面には滑り止めパターンが設けられ、その一部に、閉位置指標５６および開位置指標５７が形成されている。
【００２５】
上記のように構成された可動ディスク５１は、突起５３を案内溝４３（固定側透孔４０）に一致させた状態で、中央の軸部５２を固定ディスク４１の軸受孔４２に圧入し、軸部５２先端の係止爪５２ａを軸受孔４２に係止することにより、固定ディスク４１の吹出側に回動可能に取付けられる。この取付け状態において、可動ディスク５１は、案内溝４３に突起５３が係合することによって、回動範囲が案内溝４３の範囲に規制され、図１０に示すように、突起５３が、案内溝４３の一方の端部に位置した回動端では、各可動側透孔５０が各固定側透孔４０と一致して吹出口（４０）が全開となり、反対に、突起５３が、案内溝４３と他方の端部に位置する回動端では、各可動側透孔５０が固定ディスク４１で閉鎖されることになる。
【００２６】
また、各回動端では、突起５３が案内溝４３の突部４３ａまたは４３ｂを乗り越えることによって、可動ディスク５１の回動操作に節度感が得られるとともに、可動ディスク５１が開位置または閉位置に係止される。しかも、可動ディスク５１の回動操作時に、スリット４４、４４により各突部４３ａ、４３ｂが弾性変位可能であるため、円滑な開閉操作が可能でありながら、可動ディスク５１が開位置または閉位置に確実に係止されることになる。なお、可動ディスク５１の３つの小突起５５が、固定ディスク４１の表面に当接することによって全面的な摺接が回避され、円滑な開閉操作が可能となる点は、第１実施形態と同様である。
【００２７】
また、固定ディスク４１の案内溝４３と固定側透孔４０が一連に形成されているため、それらを独立して設ける場合に比べて、設置スペースを削減でき、かつ、図１０に示す開位置では、突起５３が固定側透孔４０から案内溝４３内に退避するので通風の妨げとなることがない点、固定側透孔４０と一連に形成されている案内溝４３が固定ディスク２１によって閉鎖され空気の漏出が防止される点など、第１実施形態と同様の効果がれられる。さらに、可動ディスク５１の軸部５２が固定ディスク４１への取付け手段を兼ねているため、別途、取付け形状を設ける場合に比べて、可動ディスク５１の簡素化および小型化が可能となる。
【００２８】
上記各実施形態の固定ディスク２１、４１は、ボックス本体１２の成形時に樹脂一体成形されることが有利であるが、別部品で構成して吹出口に嵌合する等しても良い。また、可動ディスク３１、５１も好適には樹脂成形品で構成される。さらに、固定ディスク２１、４１を設けたボックス本体１２の内壁面の裏面側には、空調ダクトを接続するための管形状部や管継手部などが一体に形成されていても良い。
【００２９】
以上、本発明の実施の形態について述べたが、本発明は上記実施形態に限定されるものではなく、本発明の技術的思想に基づいてさらに各種の変形および変更が可能である。
【００３０】
例えば、上記各実施形態では、吹出口（２０、４０）の開閉のみを行う場合を示したが、可動ディスク３１、５１を中間的な角度位置に回動することにより、吹出風量の調節を行うこともできる。その場合、固定ディスク２１の案内縁２３または第２案内溝２４の中間部、あるいは、固定ディスク４１の案内縁４３の中間部に突部を設け、その位置で節度感が得られるようにしても良い。
【００３１】
また、上記各実施形態では、固定ディスクおよび可動ディスクに透孔を３つまたは４つ設ける場合を示したが、固定ディスクおよび可動ディスクに設ける透孔の数は、１つ、２つ、あるいは５つ以上とすることもできる。しかし、透孔が１つ（または２つ）の場合、開口率を最大限に確保するためには、円形の可動ディスクを約１８０度（または９０度）回動させる必要が生じる。また、透孔の数が多くなると、封止に必要な重合分によって開口率が低下するので、透孔の数は２〜５程度が好適である。
【００３２】
さらに、上記各実施形態では、円形状の各ディスクを半径方向の直線的な仮想分割線によって周方向に複数等分し、各透孔および各透孔の間に位置したディスク部分が扇形状をなす場合を示したが、周方向に等ピッチで穿設され回転対称形状であれば、円形状の各ディスクを直線以外の仮想分割線によって放射状に分割し、各透孔を扇形以外の形状としても同様の開口率を得ることができる。
【図面の簡単な説明】
【００３３】
【図１】本発明が適用される収納部を備えた自動車のインストルメントパネルを示す斜視図である。
【図２】本発明実施形態に係る空調吹出し構造を備えた収納部のリッド開放状態を示す斜視図である。
【図３】本発明実施形態に係る収納部内への可動ディスクの取付けを示す斜視図である。
【図４】本発明第１実施形態に係わる可動ディスクを示す斜視図である。
【図５】本発明第１実施形態に係わる固定ディスクを示す側面図である。
【図６】本発明第１実施形態の吹出口開閉手段の開位置を示す側面図である。
【図７】本発明第１実施形態の吹出口開閉手段の閉位置を示す側面図である。
【図８】本発明第２実施形態に係わる可動ディスクを示す斜視図である。
【図９】本発明第２実施形態に係わる固定ディスクを示す側面図である。
【図１０】本発明第２実施形態の吹出口開閉手段の開位置を示す側面図である。
【符号の説明】
【００３４】
１  アッパーボックス（収納部）
２  インストルメントパネル
１０  開口部
１１  リッド
１２  ボックス本体
２０、４０  固定側透孔（吹出口）
２１、４１  固定ディスク
２２、４２  軸受孔
２３、４３  案内溝
２４  第２案内溝２４
２４ａ、２４ｂ、４３ａ、４３ｂ  突部
３０、５０  可動側透孔
３１、５１  可動ディスク
３２、５２  軸部
３３、５３  突起
３３ａ、５２ａ  係止爪
３４、３５、５５  小突起
【図１】
2009067115.tif 000003
【図２】
2009067115.tif 000004
【図３】
2009067115.tif 000005
【図４】
2009067115.tif 000006
【図５】
2009067115.tif 000007
【図６】
2009067115.tif 000008
【図７】
2009067115.tif 000009
【図８】
2009067115.tif 000010
【図９】
2009067115.tif 000011
【図１０】
2009067115.tif 000012